(57)【要約】【課題】  ホルダへのセットやＭＴコネクタのフェルールへの挿入作業等が容易であり、伝送損失の小さな光ファイバテープ心線及び光ファイバケーブルを提供する。【解決手段】  光ファイバテープ心線１は、複数の光ファイバ素線３が整列して形成される。隣り合う光ファイバ素線３同士は、光ファイバ素線３の長手方向に対して間欠的に接着部５で接着される。光ファイバテープ心線１の長手方向に対して接着部５同士の間は、非接着部７となる。ここで、光ファイバテープ心線１の長手方向に対して、非接着部７の長さが相対的に短い短ピッチ範囲９ａと、非接着部７の長さが相対的に長い長ピッチ範囲９ｂとが周期的に形成される。すなわち、短ピッチ範囲９ａでは、全ての隣り合う光ファイバ素線３同士の間の接着部５のピッチが短く、長ピッチ範囲９ｂでは、全ての隣り合う光ファイバ素線３同士の間の接着部５のピッチが長い。【選択図】図１
2020181048.tif 000002
【特許請求の範囲】
【請求項１】
複数の光ファイバ素線が整列して形成された光ファイバテープ心線であって、
隣り合う前記光ファイバ素線同士は、前記光ファイバ素線の長手方向に対して間欠的に接着部で接着され、
光ファイバテープ心線の長手方向に対して、前記接着部同士の間の非接着部の長さが相対的に短い短ピッチ範囲と、前記接着部同士の間の前記非接着部の長さが相対的に長い長ピッチ範囲とが周期的に形成されることを特徴とする光ファイバテープ心線。
【請求項２】
前記短ピッチ範囲及び前記長ピッチ範囲のそれぞれにおいて、前記接着部の長さとピッチとが、それぞれの隣り合う前記光ファイバ素線同士に対して略同一であり、それぞれの隣り合う前記光ファイバ素線同士のそれぞれの間の前記接着部が長手方向で互いに千鳥状に形成されることを特徴とする請求項１記載の光ファイバテープ心線。
【請求項３】
前記短ピッチ範囲において、前記非接着部の長さが２ｍｍ以上１７ｍｍ以下であることを特徴とする請求項１または請求項２に記載の光ファイバテープ心線。
【請求項４】
前記短ピッチ範囲において、前記非接着部の長さが４ｍｍ以上１５ｍｍ以下であることを特徴とする請求項１または請求項２に記載の光ファイバテープ心線。
【請求項５】
請求項１から請求項４のいずれかに記載の光ファイバテープ心線が複数本束ねられて、外周を外被で被覆されることを特徴とする光ファイバケーブル。
【発明の詳細な説明】
【技術分野】
【０００１】
本発明は、間欠的に隣り合う光ファイバ素線同士が接着された光ファイバテープ心線及びこれを用いた光ファイバケーブルに関するものである。
【背景技術】
【０００２】
多量のデータを高速で伝送するための光ファイバとして、ケーブルへの収納や作業の簡易化のため、複数本の光ファイバ素線が並列に配置されて接着された光ファイバテープ心線が用いられている。光ファイバテープ心線は、並列した光ファイバ素線を全長にわたって樹脂で固着されたものが用いられている他、光ファイバ素線同士が間欠的に接着されたものがある（例えば特許文献１）。
【先行技術文献】
【特許文献】
【０００３】
【特許文献１】特開２０１０−８９２３号公報
【発明の概要】
【発明が解決しようとする課題】
【０００４】
このような間欠接着された光ファイバテープ心線を用いれば、光ファイバが高密度に実装された光ファイバケーブルにおいても、光ファイバケーブルを曲げた際に光ファイバ心線に大きなひずみが加わることがない。これは、光ファイバケーブルに実装された間欠接着型光ファイバテープ心線の非接着部において、光ファイバ素線が単心の状態で自由に動くことができるためである。
【０００５】
しかし、このように、隣り合う光ファイバ素線同士が自由に移動できると、例えば、融着機で光ファイバテープ心線を一括融着する際に用いられる融着用のホルダの中で、各光ファイバ素線の位置が安定して並ばず、並べるのに時間を要し、さらに、ホルダの中で光ファイバ素線が交差して番号順に並ばないなどの問題が起こりうる。また、例えばＭＴコネクタのフェルールに光ファイバテープ心線を挿入して組み立てる際に、フェルールの中で光ファイバ素線が交差して番号順に並ばないことがある。
【０００６】
しかし、隣り合う光ファイバ素線同士の非接着部を短くして、より拘束力を高めると、前述したような間欠的に光ファイバ素線同士を接着することによる伝送損失低下の効果を得ることが困難となる。
【０００７】
本発明は、このような問題に鑑みてなされたもので、ホルダへのセットやＭＴコネクタのフェルールへの挿入作業等が容易であり、伝送損失の小さな光ファイバテープ心線及び光ファイバケーブルを提供することを目的とする。
【課題を解決するための手段】
【０００８】
前述した目的を達するために第１の発明は、複数の光ファイバ素線が整列して形成された光ファイバテープ心線であって、隣り合う前記光ファイバ素線同士は、前記光ファイバ素線の長手方向に対して間欠的に接着部で接着され、光ファイバテープ心線の長手方向に対して、前記接着部同士の間の非接着部の長さが相対的に短い短ピッチ範囲と、前記接着部同士の間の前記非接着部の長さが相対的に長い長ピッチ範囲とが周期的に形成されることを特徴とする光ファイバテープ心線である。
【０００９】
前記短ピッチ範囲及び前記長ピッチ範囲のそれぞれにおいて、前記接着部の長さとピッチとが、それぞれの隣り合う前記光ファイバ素線同士に対して略同一であり、それぞれの隣り合う前記光ファイバ素線同士のそれぞれの間の前記接着部が長手方向で互いに千鳥状に形成されてもよい。
【００１０】
前記短ピッチ範囲において、前記非接着部の長さが２ｍｍ以上１７ｍｍ以下であることが望ましく、前記短ピッチ範囲において、前記非接着部の長さが４ｍｍ以上１５ｍｍ以下であることがさらに望ましい。
【００１１】
第１の発明によれば、非接着部の短い短ピッチ範囲と、非接着部の長い長ピッチ範囲とが周期的に形成されるため、例えばホルダ等へセットする際には、短ピッチ範囲を用いることで、光ファイバ素線同士を確実に整列させることができる。また、長ピッチ範囲においては、光ファイバ素線が容易に移動可能であるため、曲げ等の際の伝送損失の増加を抑制することができる。
【００１２】
また、それぞれの隣り合う光ファイバ素線同士の接着部を千鳥状に配置することで、光ファイバ素線同士が動きやすく、伝送損失の増加を抑制することができる。
【００１３】
特に、短ピッチ範囲における非接着部長さを適切に設定することで、ホルダへのセット作業等における作業性と、伝送損失の抑制の効果を効率良く両立することができる。
【００１４】
第２の発明は、第１の発明にかかるファイバテープ心線が複数本束ねられて、外周を外被で被覆されることを特徴とする光ファイバケーブルである。
【００１５】
第２の発明によれば、取り扱い性に優れ、伝送損失の増加を抑制可能な光ファイバケーブルを得ることができる。
【発明の効果】
【００１６】
本発明によれば、ホルダへのセットやＭＴコネクタのフェルールへの挿入作業等が容易であり、伝送損失の小さな光ファイバテープ心線及び光ファイバケーブルを提供することができる。
【図面の簡単な説明】
【００１７】
【図１】光ファイバテープ心線１の概略斜視図。
【図２】（ａ）は光ファイバテープ心線１の平面図、（ｂ）は（ａ）のＣ部拡大図、（ｃ）は、他の形態を示す図。
【図３】（ａ）は光ファイバテープ心線１ａの概略斜視図、（ｂ）は光ファイバテープ心線１ｂの概略斜視図。
【図４】光ファイバケーブル１０の断面図。
【図５】光ファイバテープ心線１をホルダ２０へセットする状態を示す図。
【図６】多心光コネクタ３０を示す斜視図。
【図７】多心光コネクタ３０を示す断面図。
【発明を実施するための形態】
【００１８】
以下、図面を参照しながら、本発明の実施形態について説明する。図１は、光ファイバテープ心線１の概略斜視図である。光ファイバテープ心線１は、複数の光ファイバ素線３が整列して形成される。なお、以下の説明において、光ファイバテープ心線１が、１２本の光ファイバ素線３により構成される例を示すが、本発明はこれに限られず、複数本の光ファイバ素線３からなる光ファイバテープ心線であれば適用可能である。
【００１９】
隣り合う光ファイバ素線３同士は、光ファイバ素線３の長手方向に対して間欠的に接着部５で接着される。光ファイバテープ心線１の長手方向に対して接着部５同士の間は、非接着部７となる。
【００２０】
ここで、光ファイバテープ心線１の長手方向に対して、非接着部７の長さが相対的に短い短ピッチ範囲９ａと、非接着部７の長さが相対的に長い長ピッチ範囲９ｂとが周期的に形成される。すなわち、短ピッチ範囲９ａでは、全ての隣り合う光ファイバ素線３同士の間の接着部５のピッチが短く、長ピッチ範囲９ｂでは、全ての隣り合う光ファイバ素線３同士の間の接着部５のピッチが長い。
【００２１】
図２（ａ）は、光ファイバテープ心線１の平面図であり、図２（ｂ）は、図２（ａ）のＣ部拡大図である。図２（ａ）に示すように、短ピッチ範囲９ａの長さＬ２は、長ピッチ範囲９ｂの長さＬ１よりも短い。例えば、短ピッチ範囲９ａの長さＬ２は、２０〜３０ｍｍ程度であり、長ピッチ範囲９ｂの長さＬ１は、５０〜１００ｍｍ程度である。なお、短ピッチ範囲９ａは、短ピッチ範囲９ａに含まれる接着部５を全て含む範囲であり、長ピッチ範囲９ｂは、その他の範囲とする。
【００２２】
短ピッチ範囲９ａは、後述するホルダ等へのセットの際に必要な長さが必要であるが、短ピッチ範囲９ａが長くなりすぎると、伝送損失が増大するため望ましくない。また、長ピッチ範囲９ｂが短すぎると、伝送損失が増大するため望ましくない。また、長ピッチ範囲９ｂが長すぎると、短ピッチ範囲９ａを後述するホルダ等へセットする際に失敗して、長手方向の隣の短ピッチ範囲９ａを使用する必要がある場合に、無駄になる長さが長くなり、ケーブル外被除去時に確保していた余長を使い切ってしまって、長さが足りなくなってしまうことがある。従って、長ピッチ範囲９ｂの長さＬ１は１００ｍｍ以内であることが望ましい。
【００２３】
また、短ピッチ範囲９ａにおいて、接着部５の長さ（Ａ２）とピッチ（Ａ２＋Ｂ２）が、それぞれの隣り合う光ファイバ素線３同士に対して略同一であることが望ましい。また、長ピッチ範囲９ｂにおいて、接着部５の長さ（Ａ１）とピッチ（Ａ１＋Ｂ１）が、それぞれの隣り合う光ファイバ素線３同士に対して略同一であることが望ましい。すなわち、光ファイバテープ心線１の長手方向に対して、短ピッチ範囲９ａにおける、光ファイバ素線３同士の間の全ての接着部５の長さＡ２と非接着部７の長さＢ２が等しく、長ピッチ範囲９ｂにおける光ファイバ素線３同士の間の全ての接着部５の長さＡ１と非接着部の長さＢ１が等しいことが望ましい。なお、短ピッチ範囲９ａの接着部５の長さＡ２と長ピッチ範囲９ｂの接着部５の長さＡ１は等しくてもよく、異なってもよい。
【００２４】
また、光ファイバ素線３同士の隣り合う接着部５は、長手方向に対してずれて配置される。例えば、互いに隣り合う接着部５が、光ファイバテープ心線１の長手方向に半ピッチずれて形成されることが望ましい。すなわち、それぞれの隣り合う光ファイバ素線３同士のそれぞれの間の接着部５が長手方向で互いに千鳥状に形成されることが望ましい。
【００２５】
なお、短ピッチ範囲９ａにおいて非接着部７の長さＢ２は、２ｍｍ以上１７ｍｍ以下であることが望ましく、さらに望ましくは、非接着部７の長さＢ２は４ｍｍ以上１５ｍｍ以下である。非接着部７の長さが短すぎると、光ファイバ素線３が拘束されて、移動が十分にできず、伝送損失の増大の要因となる。一方、非接着部７の長さが長くなると、後述するホルダ等へのセットの際の作業性が悪くなる。
【００２６】
また、長ピッチ範囲９ｂにおいて非接着部７の長さＢ１は、２０ｍｍ以上８０ｍｍ以下であることが望ましい。非接着部７の長さが短すぎると、光ファイバ素線３が拘束されて、移動が十分にできず、伝送損失の増大の要因となる。一方、非接着部７の長さが長くなると、長ピッチ範囲９ｂが長くなりすぎるため望ましくない。
【００２７】
なお、図２（ｂ）に示すように、短ピッチ範囲９ａにおいては、接着部５の長さＡ２が非接着部７の長さＢ２よりも長くてもよい。この場合には、隣り合う接着部５同士が長手方向で重なるように配置される。これに対し、図２（ｃ）に示すように、短ピッチ範囲９ａにおいて、接着部５の長さＡ２が非接着部７の長さＢ２よりも短くてもよい。この場合には、光ファイバテープ心線１の長手方向において、隣り合う接着部５同士が互いに重なり合わず、全ての光ファイバ素線３の間で、接着部５が存在しない部位（以下、非接着区間という）の長さＤが存在する。このようにすると、短ピッチ範囲における伝送損失の増大を抑制することができる。
【００２８】
ここで、短ピッチ範囲９ａ及び長ピッチ範囲９ｂにおいて、隣り合う接着部５同士が半ピッチずれた千鳥状でなくてもよい。例えば、必ずしも全ての隣り合う光ファイバ素線３同士の間に２カ所以上なくてもよい。
【００２９】
例えば、図３（ａ）に示す光ファイバテープ心線１ａの短ピッチ範囲９ａは、隣り合う接着部５同士が１／４ピッチずれて配置されている。この場合、一部の隣り合う光ファイバ素線３同士は、同一の短ピッチ範囲９ａにおいて２カ所の接着部５を有するが、他の隣り合う光ファイバ素線３同士には接着部５が１カ所のみ形成される場合がある。このような場合でも、短ピッチ範囲９ａの非接着部７の長さは、２カ所の接着部５を有する部位で特定される。すなわち、短ピッチ範囲９ａの長さは、（短ピッチ範囲９ａにおける接着部５の長さＡ２×２＋非接着部７の長さＢ２）の長さであればよい。
【００３０】
同様に、図３（ｂ）に示す光ファイバテープ心線１ｂの長ピッチ範囲９ｂは、隣り合う接着部５同士が１／４ピッチずれて配置されている。この場合にも、一部の隣り合う光ファイバ素線３同士は、同一の長ピッチ範囲９ｂにおいて２カ所の接着部５を有するが、他の隣り合う光ファイバ素線３同士には接着部５が１カ所のみ形成される場合がある。このような場合でも、長ピッチ範囲９ｂの非接着部７の長さは、２カ所の接着部５を有する部位で特定される。
【００３１】
次に、光ファイバテープ心線１を用いた光ファイバケーブルについて説明する。図４は、光ファイバケーブル１０の断面図である。なお、以下の説明では、光ファイバテープ心線１を用いた例について説明するが、他の光ファイバテープ心線も同様に適用可能である。光ファイバケーブル１０は、主に光ファイバテープ心線１、テンションメンバ１１、引き裂き紐１３、外被１５等から構成される。
【００３２】
複数本の光ファイバテープ心線１がバンドル材等で束ねられて、光ファイバユニットが形成される。複数の光ファイバユニットがさらに束ねられて、必要に応じて押さえ巻きが巻き付けられてコア部が形成される。コア部（複数の光ファイバテープ心線１）の両側方には、一対のテンションメンバ１１が設けられる。テンションメンバ１１は、光ファイバケーブル１０の張力を負担する。
【００３３】
また、テンションメンバ１１の対向方向と略直交する方向において、コア部の外周部には、一対の引き裂き紐１３が配置される。コア部、テンションメンバ１１、引き裂き紐１３は、一括して外周を外被１５で被覆される。
【００３４】
なお、本発明の光ファイバケーブルは、図示した例には限らない。テンションメンバを中心に配置したルースチューブ型ケーブルやスロットタイプの光ファイバにも適用可能である。
【００３５】
次に、光ファイバテープ心線１の使用方法について説明する。まず、光ファイバテープ心線同士の接続作業について説明する。前述したように、光ファイバ同士を接続する場合には、融着機が使用される。図５は、切断、被覆層剥離、融着等の作業で使用されるホルダ２０に光ファイバテープ心線１を配置した状態（蓋部２３は開いた状態）を示す図である。
【００３６】
ホルダ２０は、主に本体部２１、蓋部２３、押さえ部材２７等から構成される。本体部２１は、光ファイバテープ心線１が配置される部位であり、略直方体の部材である。本体部２１の幅方向の一方の側方には、本体部２１に対してヒンジにより開閉可能な蓋部２３が設けられる。
【００３７】
本体部２１及び蓋部２３は例えば金属製である。本体部２１の蓋部２３との対向面には磁石２９が配置される。蓋部２３を本体部２１に対して閉じると、蓋部２３は、磁石２９によって、閉じた状態が維持される。なお、蓋部２３は、閉じた状態で蓋部２３の下面と本体部２１の上面とが略平行となるように調整される。
【００３８】
蓋部２３の下面（本体部２１との対向面）の少なくとも一部には、光ファイバテープ心線１を押さえる押さえ部材２７が長手方向の所定の範囲にわたって形成される。押さえ部材２７は、蓋部２３の内面から所定の量だけ突出する。押さえ部材２７は、本体部２１上に配置される光ファイバテープ心線１を押圧して保持する部材である。なお、押さえ部材２７は、例えば樹脂製等であり、光ファイバテープ心線１を傷つけない部材で構成される。
【００３９】
まず、光ファイバケーブルから、所望の光ファイバテープ心線１を取り出し、切断する。この際、使用する光ファイバテープ心線１の先端が短ピッチ範囲９ａとなる位置で切断する。
【００４０】
次に、光ファイバテープ心線１をホルダ２０へセットする。本体部２１の上面（蓋部２３との対向面）には、長手方向に沿って溝２５が形成される。光ファイバテープ心線１は、溝２５に設置される。この状態で、蓋部２３を閉じることで、光ファイバテープ心線１がホルダ２０に固定される。
【００４１】
この際、押さえ部材２７で押圧される範囲には、短ピッチ範囲９ａが位置するように配置する。このようにすることで、押さえ部材２７で押さえられる位置で光ファイバ素線３同士が交差して位置が入れ替わることが生じにくく、整列した状態で配置することができるため、ホルダ２０への設置が容易である。なお、押さえ部材２７の範囲の全体が短ピッチ範囲９ａに対応していなくてもよく、少なくとも、押さえ部材２７の一部に短ピッチ範囲９ａが位置するように配置される。
【００４２】
なお、ホルダ２０へセットした後に、切断や融着作業を失敗した際には、当該光ファイバテープ心線１の長手方向の次の短ピッチ範囲９ａの位置で再度切断して、同様の手順で作業を行えばよい。
【００４３】
次に、光ファイバテープ心線１を用いた多心光コネクタについて説明する。図６は、多心光コネクタ３０を示す斜視図であり、図７は断面図である。多心光コネクタ３０は、いわゆるＭＴコネクタであり、フェルール３１に光ファイバテープ心線１の先端が挿入されて、フェルール３１の端面に各光ファイバ素線３の端面が露出する。フェルール３１の各光ファイバ素線３の端面露出部の両側には、ガイド孔３７が形成され、図示を省略したガイドピンが挿入されて、接続対象のコネクタとの位置決めがなされる。
【００４４】
ここで、フェルール３１の内部に挿入される部位が、短ピッチ範囲９ａとなるように、光ファイバテープ心線１の先端が切断されて、フェルール３１へ挿入される。このようにすることで、フェルール３１の内部で光ファイバ素線３が交差して位置が入れ替わることが生じにくく、整列した状態でフェルール３１へ挿入することができるため、多心光コネクタ３０の組立が容易である。
【００４５】
なお、フェルール３１へ光ファイバテープ心線１を挿入して接着剤で固定した後、フェルール３１の端面を光ファイバ素線３とともに研磨することで、多心光コネクタ３０を得ることができる。
【００４６】
以上、本実施の形態によれば、短ピッチ範囲９ａと長ピッチ範囲９ｂとが周期的に形成されるため、例えば、ホルダ２０やフェルール３１へ設置する部位を短ピッチ範囲９ａとすることで、ホルダ２０やフェルール３１内部において、光ファイバ素線３の位置を安定して並べることができる。このため、作業性が良好である。
【００４７】
また、短ピッチ範囲９ａ同士の間には、長ピッチ範囲９ｂが形成され、この間では光ファイバ素線３の移動の拘束力が弱いため、光ファイバケーブル等を曲げた際にも、伝送損失の増大を抑制することができる。特に、隣り合う接着部５同士が、長手方向に対してずれて配置されるため、光ファイバ素線３が動きやすく、伝送損失の増大をより効率的に抑制することができる。
【実施例】
【００４８】
次に、接着部の形態を変えた各種の間欠光ファイバテープ心線について、その取り扱い性と伝送損失を評価した。
【００４９】
１２本の直径２５０μｍの光ファイバ素線を間欠的に接着して、図１に示すように光ファイバテープ心線を作成した。この際、短ピッチ範囲における接着部長は５ｍｍのものと７ｍｍのものを作成した。これらの光ファイバテープ心線の短ピッチ範囲の部分を融着の際に用いられるホルダに１００回セットした時に、１２本の光ファイバ素線が隙間なく、また交差することもなくセットできた成功確率を調べた。なお、融着機は古河電気工業製Ｓ１２３Ｍ１２、ホルダはＳ７１２Ａ−０１２を使用した。
【００５０】
次に、１２心の光ファイバテープ心線を１２本撚り合わせ、２ｍｍ幅のプラスチックテープを２本交差して巻付けて１４４心のユニットを構成した。プラスチックテープの交差点は接着させた。１４４心ユニットを２４本サプライし、集合させた上で、吸水性不織布を縦添えし、フォーミング治具で丸めた上に、ナイロン製の押え糸を巻付けてケーブルコアを形成した。φ２．０ｍｍのガラスＦＲＰを使用したテンションメンバ２本と、外被を切裂く切裂き紐２本をＬＬＤＰＥからなる外被材にて円筒状にシースし光ファイバケーブルを作成した。
【００５１】
外被の内径を調整し、ファイバの実装密度が５４％（外被内径２０ｍｍ）と８４％（外被内径１６ｍｍ）となる２種類の光ファイバケーブルを製造した。光ファイバの実装密度は、直径２５０μｍの光ファイバ３４５６心分の断面積／外被内中空部断面積とした。各光ファイバの伝送損失を波長１５５０ｎｍで測定し、３４５６心の中で最大のものを当該光ファイバケーブルの伝送損失とした。結果を表１〜表３に示す。
【００５２】
【表１】
2020181048.tif 000003
【００５３】
【表２】
2020181048.tif 000004
【００５４】
【表３】
2020181048.tif 000005
【００５５】
結果、実施例３、４および実施例９、１０は、光ファイバテープ心線のホルダへのセット成功率は９０％以上であった。また、この際の実装密度５４％の光ファイバケーブル内の光ファイバの最大損失は０．２４ｄＢ／ｋｍであり、実装密度８４％の光ファイバケーブル内の光ファイバの最大損失も０．２５ｄＢ／ｋｍであり、良好な結果を得た。これは、隣り合う光ファイバ素線同士が接着されていない区間が一定以上あるため、光ファイバケーブル断面内で動きやすく、局所的な曲がりを抑制することができた為と考えられる。
【００５６】
一方、実施例２および８は、光ファイバテープ心線のホルダへのセット成功率は１００％であり、良好であったが、実装密度５４％の光ファイバケーブル内の光ファイバの最大損失は０．２６ｄＢ／ｋｍであり、実装密度８４％の光ファイバケーブル内の光ファイバの最大損失は０．２９ｄＢ／ｋｍであった。このように、実装密度がさほど高くない場合には伝送損失は良好であるが、実装密度がやや高い場合は、伝送損失は悪化した。しかし、いずれも、許容できる範囲の結果を得た。
【００５７】
また、実施例５および１１は、実装密度５４％の光ファイバケーブル内の光ファイバの最大損失は０．２４ｄＢ／ｋｍであり、実装密度８４％の光ファイバケーブル内の光ファイバの最大損失も０．２５ｄＢ／ｋｍで良好であった。これは、隣り合う光ファイバ素線同士が全く接着されていない区間が一定以上あるため、光ファイバケーブル断面内で動きやすく、局所的な曲がりを抑制することができた為と考えられる。一方で、光ファイバテープ心線のホルダへのセット成功率は７５％以上であり、実施例２〜４、実施例８〜１０と比較すると悪化したが許容できる範囲の結果を得た。
【００５８】
また、実施例１、７は、光ファイバテープ心線のホルダへのセット成功率は１００％と良好であり、実装密度５４％の光ファイバケーブル内の光ファイバの最大損失は０．２６ｄＢ／ｋｍであり良好であるが、実装密度８４％の光ファイバケーブル内の光ファイバの最大損失が０．３８ｄＢ／ｋｍと高くなった。このように、実装密度が高い場合には、非接着部長さをより長くする必要がある。
【００５９】
また、実施例６、１２は、実装密度５４％及び実装密度８４％の光ファイバケーブル内の光ファイバの最大損失は、いずれも０．２５ｄＢ／ｋｍ以下と低いが、光ファイバテープ心線のホルダへのセット成功率は７１％とやや低い結果となった。しかし、７０％以上の成功率を確保することはできた。
【００６０】
このように、短ピッチ範囲の非接着部長さを１７ｍｍ以下とすることで、ホルダへのセットの成功率を７５％以上とすることが可能となり、一方で短ピッチ範囲の非接着部長さを２ｍｍ以上とすることで光ファイバ素線を動きやすくし、局所的な曲がりを抑制することで、光ファイバケーブル内に高密度実装した際の伝送損失増加を抑制することができる。さらに短ピッチ範囲の非接着部長さを１５ｍｍ以下とすることで、ホルダへのセットの成功率を９０％以上とすることが可能となり、短ピッチ範囲の非接着部長さを４ｍｍ以上とすることで光ファイバ素線を動きやすくし、局所的な曲がりを抑制することで、光ファイバケーブル内に高密度実装した際の伝送損失増加をさらに抑制することができる。
【００６１】
また、実施例１３、１４は、短ピッチ範囲における接着部と非接着部の長さは実施例４、１０と同様であるが、長ピッチ範囲の長さがやや短いため、特に実装密度が高い場合は、伝送損失は悪化した。このため、長ピッチ範囲は、５０ｍｍ以上であることが望ましい。なお、前述したように、長ピッチ範囲９ｂが長すぎると、短ピッチ範囲９ａをホルダ等へセットする際に失敗して、次の短ピッチ範囲９ａまでを切除する際に、無駄になる長さが長くなる。従って、長ピッチ範囲９ｂの長さは１００ｍｍ以内であることが望ましい。
【００６２】
一方、比較例１は、短ピッチ範囲及び長ピッチ範囲を設けずに、全長にわたって一定の非接着部長さのものであるが、この場合には、非接着部の長さが長いため、光ファイバテープ心線のホルダへのセット成功率が７０％未満となった。なお、この成功率を高めるためには、非接着部を短くする必要があるが、全長にわたって非接着部を短くしていくと、伝送損失が増加するため望ましくない。
【００６３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００６４】
１、１ａ、１ｂ………光ファイバテープ心線
３………光ファイバ素線
５………接着部
７………非接着部
９ａ………短ピッチ範囲
９ｂ………長ピッチ範囲
１０………光ファイバケーブル
１１………テンションメンバ
１３………引き裂き紐
１５………外被
２０………ホルダ
２１………本体部
２３………蓋部
２５………溝
２７………押さえ部材
２９………磁石
３０………多心光コネクタ
３１………フェルール
３７………ガイド孔
【図１】
2020181048.tif 000006
【図２】
2020181048.tif 000007
【図３】
2020181048.tif 000008
【図４】
2020181048.tif 000009
【図５】
2020181048.tif 000010
【図６】
2020181048.tif 000011
【図７】
2020181048.tif 000012